(57)【特許請求の範囲】
【請求項１】
実機制御システムの稼働と監視を決定するための実機用端末部が実機用通信回線を介して実機制御システムに接続され、運転訓練をするための訓練用端末部が訓練用通信回線を介して運転訓練システムに接続された運転訓練用端末装置であって、訓練用端末部と前記実機用通信回線を接続する中継回線又は、訓練用端末部と前記訓練用通信回線の間の何れか一方に切替え自在に接続される切替えスイッチが設けられ、この切替えスイッチの切替駆動を制御するための制御装置が設けられ、この制御装置に、運転訓練機能を有するソフトウェアを記憶するとともに監視機能を有するソフトウェアを記憶した記憶装置が接続され、前記制御装置は、ソフトウェア上での監視機能を有するソフトウェアの選択時には切替えスイッチを中継回線側に接続し、ソフトウェア上での運転訓練機能を有するソフトウェアの選択時には切替えスイッチを訓練用通信回線側に接続する機能を有したことを特徴とする運転訓練用端末装置。
【請求項２】
運転訓練機能を有するソフトウェアまたは監視機能を有するソフトウェアの選択をするための選択スイッチが制御装置に接続され、制御装置は、選択スイッチによるソフトウェアの選択に応じて、切替えスイッチを中継回線側または訓練用通信回線側に切替える機能を有したことを特徴とする請求項１記載の運転訓練用端末装置。
【発明の詳細な説明】
【０００１】
【発明の属する技術分野】
本発明は、例えばごみ焼却設備などにおいてその運転訓練（シミュレート）をするための運転訓練設備における端末装置に関する。
【０００２】
【従来の技術】
ごみ焼却設備等の設備では、その運転訓練を行うための訓練設備（訓練用シミュレータともいう）を設けているものがある。
【０００３】
この種の訓練設備では、運転訓練の際に、実機運転の雰囲気に近い状態にするために、別に設けてある実機の運転用端末装置と同性能の機能を備えている。
また、同性能の監視用端末装置を設備の管理部門に設置し、これを実機制御システム（分散型を含む）に接続し、運転状況の監視を必要に応じて行っている。
【０００４】
しかし、運転訓練や管理部門での運転状況の監視は常時行っているものではないので、訓練設備および監視用端末装置の稼働率は低く、有効な利用が行えていなかった。
【０００５】
そこで、従来、運転用端末装置と訓練設備の訓練用端末装置とを兼用して、両端末装置を通信回線（「データハイウェイ」ともいう）を介して接続して兼用端末装置とし、この兼用端末装置に回線の切替えスイッチを設け、この切替えスイッチを手動操作することで実機運転か運転訓練かの切替えを行い、これにより端末装置の有効利用を試みたものがある。
【０００６】
【発明が解決しようとする課題】
上記従来の兼用端末装置では、運転用端末装置と訓練用端末装置を兼用しているので稼働率は向上する。しかし、切替えスイッチを手動操作するよう構成しているので、運転訓練をするつもりでも切替えスイッチの切替え操作を忘れて使用すると、運転者は実機に繋がっているにもかかわらず運転訓練の状態として操作してしまうので、ごみ焼却設備などの設備を不正に運転稼働させてしまうことになり、この場合、その設備全体に悪影響を及ぼす可能性があった。
【０００７】
一方、監視用端末装置の有効利用に関しては、特に対策は講じられていないのが現状で、その稼働率は依然低いものである。
そこで本発明は、上記課題を解決し得る運転訓練用端末装置の提供を目的とする。
【０００８】
【課題を解決するための手段】
本発明における課題を解決するための手段は、実機制御システムの稼働と監視を決定するための実機用端末部が実機用通信回線を介して実機制御システムに接続され、運転訓練をするための訓練用端末部が訓練用通信回線を介して運転訓練システムに接続された運転訓練用端末装置であって、訓練用端末部と前記実機用通信回線を接続する中継回線又は、訓練用端末部と前記訓練用通信回線の間の何れか一方に切替え自在に接続される切替えスイッチが設けられ、この切替えスイッチの切替駆動を制御するための制御装置が設けられ、この制御装置に、運転訓練機能を有するソフトウェアを記憶するとともに監視機能を有するソフトウェアを記憶した記憶装置が接続され、前記制御装置は、ソフトウェア上での監視機能を有するソフトウェアの選択時には切替えスイッチを中継回線側に接続し、ソフトウェア上での運転訓練機能を有するソフトウェアの選択時には切替えスイッチを訓練用通信回線側に接続する機能を有している。
【０００９】
また、運転訓練機能を有するソフトウェアまたは監視機能を有するソフトウェアの選択をするための選択スイッチが制御装置に接続され、制御装置は、選択スイッチによるソフトウェアの選択に応じて、切替えスイッチを中継回線側または訓練用通信回線側に切替える機能を有している。
【００１０】
上記各構成において、運転訓練を行うために運転訓練機能を選択すると、制御装置は、切替えスイッチに訓練用信号を出力し、この訓練用信号によって切替えスイッチが訓練用の通信回線側に接続され、実機制御システムの監視を行うために監視機能を選択すると、制御装置は、切替えスイッチに監視信号を出力し、この監視信号によって、切替えスイッチが中継回線側に接続されるので、使用者が運転訓練を行おうとして誤って運転訓練機能以外の機能を選択してしまったとしても、あるいは、使用者が運転訓練以外の制御状態で運転訓練を行おうとしても、実機の稼働に関わる制御は行われず、従って、設備に悪影響を与えるのを未然に回避し、さらに、切替えスイッチを設けてこの切替えスイッチを切替えることにより、訓練用端末装置と監視用端末装置を兼用することができるので、装置全体の稼働率が向上する。
【００１１】
【発明の実施の形態】
以下、本発明の実施の形態を、図１〜図３に基づいて説明する。本発明の実施の形態に係る端末装置Ａは、例えばごみ焼却設備に用られ、運転訓練用端末部（以下単に「訓練用端末部」という）１と、ごみ焼却設備における後述の実機制御システム３４を稼働し監視（モニタ）するための稼働・監視用端末部（以下単に「実機用端末部」という）２とを備えている。
【００１２】
前記訓練用端末部１は、訓練用の通信回線１３に接続線１６を介して運転訓練システム１７に接続され、前記実機用端末部２は、通信回線３０，３０に接続線３３を介して前記実機制御システム３４に接続され、前記訓練用端末部１と実機用端末部２とは、一方の通信回線３０に中継線３を介して電気的に接続されている。
【００１３】
また、図１および図３に示すように、訓練用端末部１は、複数（図では２個）の第一モニタ５、すなわち複数の第一陰極線管表示器（以下「ＣＲＴ」と称す）６およびその第一操作部（キーボード）７と、これら第一操作部７の出力側に接続線８を介して接続された第一制御装置（ＣＰＵやメモリ等からなる）１０と、この第一制御装置１０に別の接続線１１を介して接続されて、運転訓練機能を有するソフトウェア１２ａを記憶するとともに監視機能を有するソフトウェア１２ｂを記憶した第一記憶装置１２と、前記第一制御装置１０の出力側と訓練用の通信回線１３および前記中継線３の間に設けられて、第一制御装置１０と中継線３，通信回線１３とを切替え自在に接続する第一切替えスイッチ１４とを備えている。
【００１４】
なお、前記運転訓練システム１７は、第一制御装置１０からの制御信号により切替え片１４ａが通信回線１３側に接続された際に、運転訓練のシミュレート動作すなわち疑似運転処理を行なうものである。
【００１５】
そして、第一記憶装置１２は、選択スイッチＳＷ１（あるいはソフトウェアで構成したスイッチやソフトウェア上での機能の選択でもよい）の操作により起動するもので、この選択スイッチＳＷ１は第一制御装置１０に接続され、この第一制御装置１０は、前記選択スイッチＳＷ１からの運転訓練機能の選択を検出することで、運転訓練機能を有するソフトウェアを作動させる機能、および第一切替えスイッチ１４の切替え片１４ａが訓練用の通信回線１３に接続するよう訓練用信号を出力する機能と、選択スイッチＳＷ１からの監視機能の選択を検出することで、監視機能を有するソフトウェアを作動させる機能、および第一切替えスイッチ１４の切替え片１４ａが中継回線３側に接続するよう監視信号を出力する機能とを有している。
【００１６】
前記実機用端末部２には、複数（図では４個）の第二モニタ２１、すなわち複数の第二ＣＲＴ２３およびその第二操作部２４と、これら第二操作部２４の出力側に接続線２５を介して接続された第二制御装置２６と、この第二制御装置２６に別の接続線２７を介して接続されて、稼働機能を有するソフトウェア２８ａを記憶するとともに監視機能を有するソフトウェア２８ｂを記憶した第二記憶装置２８と、前記第二制御装置２６および安全上二系統設けている前記通信回線３０，３０の間に接続して各通信回線３０，３０を切替え自在に接続する第二切替えスイッチ３１とを備えている。
【００１７】
前記第二制御装置２６は、第二記憶装置２８のソフトウェアと第二操作部２４からのソフトウェア上の機能選択あるいはコマンド選択により動作が決定され、また、一方の通信回線３０が断状態になった際にその断状態を検出し他方の通信回線３０側に第二切替えスイッチ３１の切替え片３１ａを切替える信号を自動的に出力する機能を有している。
【００１８】
なお、前記実機制御システム３４は、第二制御装置２６からの稼働指令によって、実機制御システム３４の出力側に接続された図示しない炉の稼働部や各種センサなどを設定・稼働させる稼働信号を出力する機能と、稼働部の稼働中の情報や、センサの検出情報（運転状況）を接続線３３に対し出力する機能を有している。
【００１９】
上記構成において、実機用端末部２を用いて稼働部の稼働状況を監視しようとする場合、第二操作部２４からのソフトウェア上の機能選択あるいはコマンド入力により監視機能２８ｂを選択する。そうすると、第二制御装置２６はこの機能選択により、所定の情報（命令等）を実機制御システム３４に出力する。これに伴い、実機制御システム３４は、所定のデータ情報を接続線３３に出力し、実機用端末部２がこれを入力するので、使用者は、第二モニタ２１の第二ＣＲＴ２３で、稼働部や各種センサの情報の監視を行うことができる。
【００２０】
また、実機用端末部２において、第二操作部２４からのソフトウェア上の機能選択あるいはコマンド入力により稼働機能２８ａを選択すると、第二制御装置２６は、この機能選択により所定の情報を実機制御システム３４に出力する。そうすると、実機制御システム３４は、炉などの稼働部やセンサに稼働や設定等の信号を出力するので、使用者は稼働部やセンサの操作を行うことができる。
【００２１】
ところで、使用者が運転訓練を行おうとする場合、訓練用端末部１において選択スイッチＳＷ１をオンして運転訓練機能用のソフトウェア１２ａを選択する。そうすると、図２に示すように、第一制御装置１０は、第一モニタ５が運転訓練機能を選択していることを認識し、第一切替えスイッチ１４に、切替え片１４ａが訓練用の通信回線１３側に切替わるよう訓練用信号を出力し、その後の第一モニタ５からの入力により、運転訓練システム１７が稼働し、これにより使用者は、第一モニタ５の第一ＣＲＴ６で運転訓練を行うことができる。
【００２２】
ところで、使用者が運転訓練を行おうとして選択スイッチＳＷ１で監視機能用のソフトウェア１２ｂを選択してしまった場合、図２に示すように、第一制御装置１０はこの信号を受けて、第一切替えスイッチ１４に監視信号を出力し、切替え片１４ａが中継線３側に切替わるよう監視信号を出力するので、各種状態の監視を行うようになる。
【００２３】
従って、もし使用者が運転訓練を行おうとして、誤って運転訓練機能以外の機能を選択あるいはコマンド入力した場合でも、監視機能が選択されるのみであるので、稼働部の稼働は行えないし、勿論運転訓練も行えないことになる。
【００２４】
このように、本発明の実施の形態では、訓練用端末部１が実機用端末部２と接続されていても、稼働機能を有しておらずに監視機能および運転訓練機能のみを有しているので、もし使用者が運転訓練を行おうとして、誤って運転訓練機能以外の機能を選択あるいはコマンド入力した場合でも、本発明の実施の形態では監視機能が選択されるのみであって、稼働部の稼働は行えない。従って、従来のように訓練用端末部１の操作上の人為的ミスが原因で、設備が正常に稼働している状態を停止させて誤稼働させるというような事態を回避でき、設備に悪影響を与えるのを防止できる。
【００２５】
そして、上記のように人為的ミスによる設備の稼働に対する悪影響を完全に回避できるので、設備を稼働させる専門の者以外であっても、安心して訓練用端末部１を使用でき、また訓練用端末装置と監視用（モニタ用）端末装置を監視機能部分で共通させ兼用性をもたせたので、端末装置全体の稼働率を向上させて有効利用ができる。
【００２６】
さらに機能選択スイッチを各第一モニタ５毎に設け、第一制御装置１０は、各第一モニタ５の機能選択を認識し、第一切替えスイッチ１４を高速動作（例えば時分割動作）可能にしたものを用いることで、更に端末装置全体の稼働率を向上させることができる。
【００２７】
【発明の効果】
以上の説明から明らかな通り、本発明は、実機用端末部を実機用通信回線を介して実機制御システムに接続し、訓練用端末部を訓練用通信回線を介して運転訓練システムに接続し、訓練用端末部と実機用通信回線を接続する中継回線又は、訓練用端末部と訓練用通信回線の間の何れか一方に切替え自在に接続される切替えスイッチを設け、この切替えスイッチの切替駆動を制御するための制御装置に、運転訓練機能を有するソフトウェアを記憶するとともに、監視機能を有するソフトウェアを記憶した記憶装置を接続し、制御装置は、運転訓練機能の選択を検出することで、運転訓練機能を有するによる記憶装置の駆動によって、切替えスイッチに訓練用通信回線側に接続するソフトウェアを作動させる機能と、監視機能の選択を検出することで、監視機能を有するソフトウェアを作動させる機能と、記憶装置の駆動によって、切替えスイッチに中継回線側に接続するよう監視信号を出力する機能とを有したので、運転訓練機能を選択すると、訓練用信号によって切替えスイッチが訓練用の通信回線側に接続され、監視機能を選択すると、監視信号によって切替えスイッチが中継回線側に接続され、使用者が運転訓練を行おうとして誤って運転訓練機能以外の機能を選択してしまったとしても、あるいは、使用者が運転訓練以外の制御状態で運転訓練を行おうとしても、実機設備の稼働に関わる制御は行われず、従って、人為的操作ミスによって実機設備に悪影響を与えるのを回避できる。
【００２８】
また、切替えスイッチを切替えることで訓練用端末装置と監視用端末装置とに兼用性を持たせるので、端末装置全体の稼働率が向上して、端末装置の有効利用ができる。
【図面の簡単な説明】
【図１】本発明の実施の形態を示す端末装置の全体構成図である。
【図２】同じくフローチャートである。
【図３】同じく訓練用端末部の拡大図である。
【符号の説明】
１      訓練用端末部
２      実機用端末部
３      中継線
５      第一モニタ
７      第一操作部
８      接続線
１０    第一制御装置
１１    接続線
１２    第一記憶装置
１２ａ  ソフトウェア
１２ｂ  ソフトウェア
１３    通信回線
１４    第一切替えスイッチ
１４ａ  切替え片
１６    接続線
１７    運転訓練システム
２１    第二モニタ
２４    第二操作部
２５    接続線
２６    第二制御装置
２７    接続線
２８ａ  ソフトウェア
２８ｂ  ソフトウェア
３０    通信回線
３１    第二切替えスイッチ
３１ａ  切替え片
３３    接続線
３４    実機制御システム
Ａ      端末装置
ＳＷ１  選択スイッチ
【図１】
0003705700.tif 000002
【図２】
0003705700.tif 000003
【図３】
0003705700.tif 000004